(57)【要約】【課題】感熱材が充填されたカプセルを備える感温インジケータを使用する際に、指の温度の影響を受けることなく、またカプセルを容易に破壊することができる感温インジケータを提供する。【解決手段】基体２と、前記基体に形成された凹部２ａと、前記凹部内に収容された、感熱材が充填されたカプセル３と、前記カプセルの上部に載置された吸収部材４と、前記吸収部材の上方に配置された透明でかつ断熱材からなる押圧手段６と、前記カプセルと吸収部材とを少なくとも覆うカバー７とを備え、前記押圧手段６で前記カプセル３を押圧することにより、前記カプセル３を破壊する。【選択図】図２
2008145126.tif 000002
【特許請求の範囲】
【請求項１】
基体と、前記基体に形成された凹部と、前記凹部内に収容された、感熱材が充填されたカプセルと、前記カプセルの上部に載置された吸収部材と、前記吸収部材の上方に配置された透明な断熱材からなる押圧手段と、前記カプセルと吸収部材とを少なくとも覆うカバーとを備え、前記押圧手段で前記カプセルを押圧することにより、前記カプセルを破壊することを特徴とする感温インジケータ。
【請求項２】
前記感熱材は、所定温度以上で液相となるいわゆる着色ワックス、あるいは所定温度以下で液相となる着色されたゲルであることを特徴とする請求項１記載の感温インジケータ。
【請求項３】
前記押圧手段は、前記吸収部材の上面に接して載置された合成樹脂から成る押圧部材であり、前記カバーは陥没可能な凸状のドーム型形状に形成され、
前記カバーを陥没させて、前記カプセルを前記押圧手段により押圧することにより、前記カプセルを破壊することを特徴とする請求項１記載の感温インジケータ。
【請求項４】
前記押圧手段は、陥没可能な凸状のドーム型形状に形成されたカバーの中央部に形成された、下方に突出した押圧部であり、
前記カバーを陥没させて、前記カプセルを前記押圧部により押圧することにより、前記カプセルを破壊することを特徴とする請求項１記載の感温インジケータ。
【請求項５】
前記押圧手段は、前記基体に形成された凹部に嵌合していることを特徴とする請求項１記載の感温インジケータ。
【請求項６】
前記吸収部材が細長形状に形成され、前記吸収部材の一端部が、前記カプセルの上部に載置されることを特徴とする請求項１記載の感温インジケータ。
【請求項７】
前記吸収部材が螺旋状に形成され、前記吸収部材の中心部が、前記カプセルの上部に載置されることを特徴とする請求項１記載の感温インジケータ。
【請求項８】
前記吸収部材に表示ラベルが一体的に形成されていることを請求項１記載の感温インジケータ。
【発明の詳細な説明】
【技術分野】
【０００１】
本発明は、温度が所定温度以上あるいは所定温度以下になったことを不可逆的に示す感温インジケータに関し、特に、所定温度以上あるいは所定温度以下の環境に晒されたか否かを視認できる感温インジケータに関するものである。
【背景技術】
【０００２】
近年、商品、製品の品質管理において、温度が管理は重要になってきている。例えば、生鮮食品、切花等の生鮮物、医薬品、半導体材料において、温度管理が十分に行なわれず所定の温度以上に晒されると、商品、製品の品質が低下し、あるいは劣化し、更には細菌が繁殖し、腐敗が生じる場合がある。
そのため、こうした商品、製品の温度管理は生産時のみならず、流通時、保管時において厳格に温度管理を行なう必要があり、その温度管理を継続的に監視していく手段のひとつとして、感温インジケータが用いられている。
【０００３】
この感温インジケータとしては、特許文献１（特公平３−５６２号公報）に示すものが提案されている。この特許文献１に示された感温インジケータについて、図１１及び図１２に基づいて説明する。図において、符号５１は基体であり、この基体１の上面には、平面視上リング形状の壁部５１ａが配置されている。更に、前記壁部５１ａの内側の基体５１の上面には、多孔質パット５２が設けられている。この多孔質パット５２は、臨界温度以下で固相のままであり、臨界温度以上で液相に変化する染料と化学物質の溶液で飽和されている。
【０００４】
また、前記壁部５１ａの上端面には、表示芯５３が載置されている。更に、前記表示芯５３の上方、壁部５１ａの外周面は、キャップ５４で覆われている。このキャップ５４は凸部形状、いわゆるドーム型に形成され、一定の外力が作用すると中央部が凹部形状に陥没変形するように形成されている。また、このキャップ５４と壁部５１ａとで表示芯５３を挟持し、表示芯５３を保持している。尚、基体５１の裏面には接着剤５５が形成され、更にこの接着剤５５を覆うように、リリースライナー５６が設けられている。
【０００５】
このように構成された感温インジケータ５０にあっては、リリースライナー５６を剥がし、基体５１を商品、製品に貼付け、その後、キャップ５４の中央部分を指で押し込み、表示芯５３を多孔質パット５２に接触させる。
そして、この感温インジケータ５０が付けられた製品等が所定温度以上に晒されると、多孔質パット５２の染料が固相から液相に変化し、着色された化学物質が表示芯５３と多孔質パット５２の間の濃度勾配により、多孔質パット５２から表示芯５３に移動する。その結果、表示芯５３の着色状態を視認することにより、当該製品等が一度でも所定温度以上の環境に晒されたか否かを判断することができる。
【０００６】
しかしながら、このような感温インジケータにあっては、高温の環境下で保管すると染料が液相に変化し、蒸発し、また化学物質の溶液が蒸発する虞があり、感温インジケータを保管する際、感温インジケータ自体の温度の温度管理をしなければならないという問題があった。また、キャップ５４の中央部分を指で押し込む際、指の温度を感知してしまうという問題があった。
【０００７】
また、他の感温インジケータとして、特許文献２（実開昭５７−２９８２９号公報）が提案されている。この感温インジケータを図１３、図１４に基づいて説明する。
図において、感温インジケータ６０は、基体６１と、前記基体６１上に載置された、油溶性色素、顔料又は染料を、直鎖炭化水素または直鎖炭化水素の組成からなる固溶体に混合したもの（いわゆる着色ワックス）が充填されたカプセル６２と、前記カプセル６２を覆うように設けられたろ紙６３とを備えている。
【０００８】
この感温インジケータ６０を使用する際、前記カプセル６１をろ紙６３の上から、指で押圧し、カプセル６２を潰す。その結果、所定温度以上になると、着色ワックスが溶解し、前記油溶性色素、顔料又は染料がろ紙へ浸透する。したがって、ろ紙６２の着色状態を視認することにより、当該製品等が一度でも所定温度以上の環境に晒されたか否かを判断することができる。
【０００９】
この特許文献２に示された感温インジケータ６０にあっては、油溶性色素、顔料又は染料を直鎖炭化水素または直鎖炭化水素の組成からなる固溶体に混合したもの、いわゆる着色ワックスはカプセル内に収納させているため蒸発を抑制でき、常温で管理することができる。
【特許文献１】特公平３−５６２号公報
【特許文献２】実開昭５７−２９８２９号公報
【発明の開示】
【発明が解決しようとする課題】
【００１０】
ところで、特許文献１に示されたような、所定温度以上の環境に晒されたか否かを判断する感温インジケータにあっては、キャップの中央部分を指で押し込む際、指の温度を感知してしまうという課題があった。同様に、特許文献２に示された感温インジケータにあっては、指でカプセルを押圧しカプセルを破壊するため、指の温度でカプセル内部に充填されたいわゆる着色ワックスが溶解し、カプセルを破壊した際、ろ紙が着色状態になり、使用できなくなるという課題があった。
また、前記カプセルは平状の基体上に載置されているに過ぎないため、カプセルを指で押圧する際、カプセルが逃げてしまい、カプセルを破壊するのが困難であるという課題があった。
【００１１】
本発明は前記の課題を解決するためになされたもので、感熱材が充填されたカプセルを備える感温インジケータを使用する際に、カプセルを容易に破壊することができる感温インジケータを提供することを目的とするものである。また、感温インジケータのカプセルを破壊する際、指の温度の影響を受けることのない感温インジケータを提供することを目的とするものである。
【課題を解決するための手段】
【００１２】
本発明は上記目的を達成するためになされたものであり、本発明にかかる感温インジケータは、基体と、前記基体に形成された凹部と、前記凹部内に収容された、感熱材が充填されたカプセルと、前記カプセルの上部に載置された吸収部材と、前記吸収部材の上方に配置された透明な断熱材からなる押圧手段と、前記カプセルと吸収部材とを少なくとも覆うカバーとを備え、前記押圧手段で前記カプセルを押圧することにより、前記カプセルを破壊することを特徴としている。
【００１３】
本発明にかかる感温インジケータにあっては、吸収部材の上方に配置された透明でかつ断熱材からなる押圧手段を備え、この押圧手段で前記カプセルを押圧することにより、前記カプセルを破壊するため、押圧する指の温度の影響を受けることなく、カプセルを破壊することができる。また、カプセルが基体に形成された凹部に収容されているため、カプセルを確実、かつ容易に破壊することができる。
【００１４】
ここで、感熱材としては、所定温度以上で液相となるいわゆる着色ワックス、あるいは所定温度以下で液相となる着色されたゲル（アドバンスト・ソフトマテリアル社製：商品名スライドリングゲル）が用いられる。
このように、所定温度以下で液相となる着色されたゲルを用い感温インジケータは、レタス、じゃがいも、豆腐、炭酸飲料（ビール）等、凍結すると品質が劣化する商品、製品に好適に用いることができる。
【００１５】
また、前記押圧手段は、前記吸収部材の上面に接して載置された合成樹脂から成る押圧部材であり、前記カバーは陥没可能な凸状のドーム型形状に形成され、前記カバーを陥没させて、前記カプセルを前記押圧部材により押圧することにより、前記カプセルを破壊することが好ましい。このように、透明かつ断熱材からなる押圧部材により、カプセルを破壊するため、指の熱の影響が抑制される。
【００１６】
また、前記押圧手段は、陥没可能な凸状のドーム型形状に形成されたカバーの中央部に形成された、下方に突出した押圧部であり、前記カバーを陥没させて、前記カプセルを前記押圧部により押圧することにより、前記カプセルを破壊することが好ましい。このように、カバーに押圧手段を形成した場合には、部品点数を削減でき、安価に製作することができる。
【００１７】
更に、前記押圧手段は、前記基体に形成された凹部に嵌合していることが好ましい。このように、押圧手段が凹部に嵌合している場合には、この凹部内に収容されているカプセルが逃げることなく確実に押圧でき、破壊することができる。また、押圧手段が凹部にガイドされるため、安定した押圧動作を行なうことができる。
【００１８】
また、前記吸収部材が細長形状に形成され、前記吸収部材の一端部が、前記カプセルの上部に載置されることが好ましい。このように吸収部材が細長形状に形成されているため、カプセル上に置かれた中央部の一端からの着色部分の距離を見ることにより、所定温度以上あるいは所定温度以下の環境に晒された時間を容易に識別することができる。
【００１９】
また、前記吸収部材が螺旋状に形成され、前記吸収部材の中心部が、前記カプセルの上部に載置されることが好ましい。このように吸収部材を螺旋状に形成したため、カプセル上に置かれた中央部の一端からの着色部分の距離を見ることにより、所定温度以上あるいは所定温度以下の環境に晒された時間を容易に識別することができる。しかも、細長形状の吸収部材に比べ、感温インジケータをコンパクトに形成でき、より小型化することができる。
また、前記吸収部材に表示ラベルが一体的に形成されていることが好ましい。
【発明の効果】
【００２０】
本発明にかかる感温インジケータによれば、感熱材が充填されたカプセルを備える感温インジケータを使用する際に、指の温度の影響を受けることなく、またカプセルを容易に破壊することができる。
【発明を実施するための最良の形態】
【００２１】
以下に、本発明にかかる一実施形態について、図１乃至図３に基づいて説明する。なお、図１は本発明の一実施形態にかかる感温インジケータを示す分解斜視図、図２は図１に示した感温インジケータのセット前の状態を示す断面図、図３は図１に示した感温インジケータのセット後の状態を示す断面図である。
【００２２】
図１に示すように、この感温インジケータ１は、基体２と、この基体２に形成された凹部２ａと、前記凹部２ａ内に収容されたカプセル３と、前記カプセル３の上部に載置された吸収部材４と、前記吸収部材４の上面に接して載置された押圧部材６と、前記押圧部材６が挿通する貫通孔５ａが形成された表示ラベル５と、前記押圧部材６と表示ラベル５を上方から覆う、凸状のカバー７とを備えている。
【００２３】
前記基体２は、合成樹脂材によって平面視上円形形状に形成され、リング状の水平部２ｂと、前記水平部２ｂから略垂直に立ち上がった立上部２ｃと、前記立上部２ｃの頂部に形成された断面円弧状の肩部２ｅと、前記肩部２ｅから中心部に向かって下る、いわゆるすり鉢状の傾斜面部２ｄと、前記傾斜面部２ｄから水平部２ｆを介して、基体２の中央部に形成された凹部２ａとを備えている。
【００２４】
尚、商品、製品に対して、この基体１を確実に貼り付けるために、リング状の水平部２ｂの裏面に円盤状の裏板２ｇを設け、この裏板２ｇの裏面に接着材あるいは粘着材を形成するのが好ましい。その際、接着材、粘着材の上に剥離紙（図示せず）を設け、使用する際、この剥離紙を剥がして使用するように構成するのが好ましい。
【００２５】
前記カプセル３内に充填される感熱材は、例えば、油溶性色素、顔料又は染料を直鎖炭化水素または直鎖炭化水素の組成からなる固溶体に混合したもの、いわゆる着色ワックスを用いることができる。また、感熱材としては、水に溶解せず、所定温度にて溶融、変色する化学物質であっても良い。尚、以下の説明においては、着色ワックスを例に説明する。
【００２６】
また、吸収部材４は感熱材を吸収できるものであればよく、従来から用いられている、ろ紙、多孔質体（フィルム、スポンジ等）、シリカゲル等を用いることができる。
この吸収部材４は、平面視上円形に形成され、前記基体２の凹部２ａの直径よりも小さな径に形成されている。また、前記吸収部材４は、図２に示すセット前状態においても前記凹部２ａ内に位置しているため、吸収部材４の脱落、位置ずれが防止される。
【００２７】
前記表示ラベル５は、平面視上円形であり、組立時に前記基体２の肩部２ｅとカバー７によって挟持され、保持される。この表示ラベル５の中央部には、前記押圧部材６が挿通する貫通孔５ａが形成されている。前記押圧部材６は前記凹部２ａに嵌合し、押圧部材６の傾倒防止が図られているが、更にこの表示ラベル５の貫通孔によっても保持されるため、前記押圧部材６の傾倒防止がより図られる。
また、この表示ラベルの上面には、中央部分（前記吸収部材４）が着色（発色）している場合には、所定温度以上の環境下に置かれたことを示す注意書き等が記載されている。
【００２８】
前記押圧部材６は、吸収部材４の着色（発色）状態を上方から視認できるようになすため、透明な部材で形成される。また、指で押圧した際、カプセル３にその熱が伝わり難くするため、断熱部材で形成される。例えば、この押圧部材６の材質としては、透明な合成樹脂材を用いることができる。
【００２９】
また、カバー７は、透明な合成樹脂材によって平面視上円形形状に形成され、リング状の水平部７ｂと、前記水平部７ｂから略垂直に立ち上がった立上部７ｃと、前記立上部７ｃの頂部に形成された断面円弧状の肩部７ｄと、前記肩部７ｄから中心部に向かって昇る、いわゆるドーム状の傾斜面部７ａとを備えている。このドーム状の傾斜面部７ａは、上方からの外力が作用すると、図３に示すように凸状から凹状に陥没変形するように形成されている。
【００３０】
尚、前記カバー７を基体２に被せることで、前記押圧部材６と表示ラベル５は上方から覆われる。この際、前記立上部７ｃは基体２の立上部２ｃと嵌合し、また肩部７ｄと基体２の肩部２ｅで表示ラベル５を保持している。
【００３１】
このように構成された感温インジケータは、図２に示す状態で保管される。この状態にあっては、着色ワックスはカプセル３によって覆われているため、所定の温度以上の環境下に晒されても、着色ワックスの蒸発は抑制され、その劣化が抑制される。
【００３２】
そして、この感温インジケータを使用（セット）する際、図３に示すように、カバー７の上方から指で押圧し、カバー７を凹状に変形させ、押圧部材６を下方に移動させる。この押圧部材６を下方の移動に伴い、カプセル３は破壊され、セット状態になすことができる。
【００３３】
このようにセット状態になす操作において、押圧部材６が断熱部材で形成されているため、指の熱の着色ワックスへの伝熱は抑制される。また、カプセル３と押圧部材６が凹部２ａ内に位置しているため、カプセル３を逃がすことなく確実に破壊することができる。更に押圧部材６は前記凹部２ａに嵌合した状態にあるため、押圧部材６は凹部２ａによって案内され、安定した押圧動作をなすことができる。
【００３４】
そして、この感温インジケータが貼り付けられた製品が所定温度以上の環境下に晒されると、着色ワックスが溶解し、吸収部材４に吸収される。吸収部材４の着色状態（発色状態）は、カバー７の上方から、透明なカバー７、透明な押圧部材６を通して視認することができる。これにより、当該製品が一度でも所定温度以上の環境に晒されたか否かを判断することができる。
【００３５】
次に、本発明の第二の実施形態について、図４、図５に基づいて説明する。尚、図４は本発明の第二の実施形態にかかる感温インジケータを示す分解斜視図、図５は図２に示した感温インジケータのセット前の状態を示す断面図である。尚、第一の実施形態に示されたものと同一、相当する部材は、同一符号を付することにより、詳細な説明は省略する。
【００３６】
この第二の実施形態にあっては、吸収部材を細長形状に形成した点に特徴がある。
図４、図５に示すように、基体２には細長形状の吸収部材１１を収容するための収容部２Ａが形成されている。この収容部２Ａは立上部２ｃと連設されている。この吸収部材１１の一端部は、第一の実施形態と同様に、カプセル３が収容された凹部２ａ内に収容される。また、カバー７にも、細長形状の吸収部材１１を覆うための吸収部材カバー部７Ａが形成されている。この吸収部材カバー部７Ａは立上部７ｃと連設されている。
したがって、前記基体２にカバー７を被せることにより、細長形状の吸収部材１１を内部に収容することができる。
【００３７】
この感温インジケータ１０にあっては、吸収部材１１が細長形状に形成されているため、カプセル３上に置かれた一端からの着色部分の距離を見ることにより、所定温度以上の環境に晒された時間を容易に識別することができる。
即ち、所定温度以上で着色ワックスが溶解し、吸収部材１１の一端に吸収される。そして、時間の経過と共に、着色ワックスが徐々に吸収部材１１の他端部に向かって浸透する。したがって、この着色ワックスが浸透した距離（寸法）を見ることによって、所定温度以上の環境に晒された時間を容易に識別することができる。
【００３８】
次に、本発明の第三の実施形態について、図６乃至図８に基づいて説明する。尚、図６は本発明の第二の実施形態にかかる感温インジケータを示す分解斜視図、図７は図６に示した押圧部材の底面を示す斜視図、図８は図６に示した感温インジケータのセット前の状態を示す断面図である。尚、第一の実施形態に示されたものと同一、相当する部材は、同一符号を付することにより、詳細な説明は省略する。
【００３９】
この第三の実施形態にあっては、吸収部材を螺旋状に形成した点に特徴がある。
図６、図８に示すように、基体２には螺旋状の吸収部材２１を収容するための収容部２Ｂが形成されている。この収容部２Ｂは凹部２ａと連設された、螺旋状の凹部として形成されている。この螺旋状の吸収部材２１の中心部分２１ａは、第一の実施形態と同様に、カプセル３が収容された凹部２ａ内に収容される。
【００４０】
また、表示ラベル５には、前記螺旋状の吸収部材２１の形状に対応した貫通孔５Ａが形成されている。
更に、押圧部材６には、中央部に形成されたカプセル押圧部６Ａと、前記吸収部材２１の螺旋形状に対応した螺旋状突起部６Ｂとを備えている。
【００４１】
この感温インジケータ２０は、吸収部材２１が螺旋状に形成されているため、カプセル３上に置かれた中心部２１ａの一端からの着色部分の距離を見ることにより、所定温度以上の環境に晒された時間を容易に識別することができる。
しかも、第二の実施形態に比べ、感温インジケータ２０をコンパクトに形成でき、より小型化することができる。また、押圧部材６を押し込む際、螺旋状突起部６Ｂも収容部２Ｂに案内されるため、押圧部材６が傾くことなく、より安定した押し込みを行なうことができる。
【００４２】
また、カプセル押圧部６Ａと螺旋状突起部６Ｂが一体に形成されているため、押圧部材６を押すことで、螺旋状突起部６Ｂが吸収部材２１を上方から押えることができる。その結果、吸収部材２１を収容部２Ｂ内に湾曲することなく保持でき、一定の視認性を確保することができる。
また、カプセル押圧部６Ａの高さは、螺旋状突起部６Ｂの高さより高く形成されている。言い換えれば、螺旋状突起部６Ｂの高さがカプセル押圧部６Ａの高さよりも低く形成されている。そのため、カバー７が陥没変形した場合において、凹状の変形状態を維持することができる。また、カプセル押圧部６Ａによって破壊されたカプセルには一定の力が作用することとなり、より安定した浸透作用が得られる。
【００４３】
次に、本発明の第四の実施形態について、図９、図１０に基づいて説明する。尚、図９は本発明の第二の実施形態にかかる感温インジケータを示す分解斜視図、図１０は図９に示した感温インジケータのセット前の状態を示す断面図である。尚、第一の実施形態に示されたものと同一、相当する部材は、同一符号を付することにより、詳細な説明は省略する。
【００４４】
この第四の実施形態にあっては、押圧部材をカバー７に一体に形成した点に特徴がある。
図７に示すように、カバー７の傾斜面部７ａの中央部分に、下方（内部）に突出する押圧部７Ｂが形成されている。このカバー７は、透明でかつ断熱効果を有する合成樹脂により形成される。
この感温インジケータ３０にあっては、カバー７に押圧部が形成されているため、カバー７の傾斜面部７ａを押すことにより、押圧部７Ｂがカプセル３を破壊し、セット状態になすことができる。しかも、第一の実施形態に比べて、部品点数を少なくすることができるため、安価に製作することができる。また、第一の実施形態のように、前記吸収部材４と表示ラベル５とを別体のものとして形成しても良いが、図１０に示すように前記吸収部材４と表示ラベル５と一体的に形成しても良い。
【００４５】
尚、上記実施形態にあっては、油溶性色素、顔料又は染料を直鎖炭化水素または直鎖炭化水素の組成からなる固溶体に混合したもの、いわゆる着色ワックスがカプセルに充填された場合について説明したが、感熱材としては、所定温度以上で液相となる前記着色ワックス以外に、所定温度以下で液相となる着色されたゲル（アドバンスト・ソフトマテリアル社製：商品名スライドリングゲル）を用いることができる。
このように、所定温度以下で液相となる着色されたゲルを用い感温インジケータは、レタス、じゃがいも、豆腐、炭酸飲料（ビール）等、凍結すると品質が劣化する商品、製品に好適に用いることができる。
【００４６】
また、上記第一乃至第三の実施形態にあっては、押圧部材が基体に形成された凹部に嵌合している場合を例にとって説明したが、押圧部材の形状寸法を凹部の形状寸法より大きく形成し、前記凹部を押し拡げながら、カプセルを破壊しても良い。
更に、上記第一乃至第四の実施形態にあっては、表示ラベルを基体とカバーの間で挟持する構成を例にとって説明したが、表示ラベルあるいは表示ラベルと吸収部材が一体になったものを、基体の接着、貼着するようになしても良い。このようない構成することにより、基体及びカバーの肩部の形状を簡略することができ、成形コストの低減を図ることができる。また、組み付け工数を削減でき、製品を安価に製造することができる。
【産業上の利用可能性】
【００４７】
本発明にかかる感温インジケータは、生鮮食品、冷凍食品、切花、医薬品、半導体材料等の温度管理を必要とする製品、商品の生産、流通、保管の分野において好適に用いられる。
【図面の簡単な説明】
【００４８】
【図１】図１は、本発明の一実施形態にかかる感温インジケータを示す分解斜視図である。
【図２】図２は、図１に示した感温インジケータのセット前の状態を示す断面図である。
【図３】図３は、図１に示した感温インジケータのセット後の状態を示す断面図である。
【図４】図４は、本発明の第二の実施形態にかかる感温インジケータを示す分解斜視図である。
【図５】図５は、図２に示した感温インジケータのセット前の状態を示す断面図である。
【図６】図６は、本発明の第三の実施形態にかかる感温インジケータを示す分解斜視図である。
【図７】図７は、図６に示した押圧部材の底面を示す斜視図である。
【図８】図８は、図６に示した感温インジケータのセット前の状態を示す断面図である。
【図９】図９は、本発明の第四の実施形態にかかる感温インジケータを示す分解斜視図である。
【図１０】図１０は、図９に示した感温インジケータのセット前の状態を示す断面図である。
【図１１】図１１は、従来の感温インジケータを示す断面図である。
【図１２】図１２は、図１１に示した感温インジケータのセット前の状態を示す断面図である。
【図１３】図１３は、従来の他の感温インジケータを示す斜視図である。
【図１４】図１４は、図１３に示した感温インジケータの断面図である。
【符号の説明】
【００４９】
１      感温インジケータ
２      基体
２ａ    凹部
２Ａ    収容部
２Ｂ    収容部
３      カプセル
４      吸収部材
５      表示ラベル
５ａ    貫通孔
５Ａ    貫通孔
６      押圧部材
６Ａ    カプセル押圧部
６Ｂ    螺旋状突起部
７      カバー
７ａ    傾斜面部
７Ａ    吸収部材カバー部
７Ｂ    押圧部
１０    感温インジケータ
１１    吸収部材
２０    感温インジケータ
２１    吸収部材
３０    感温インジケータ
【図１】
2008145126.tif 000003
【図２】
2008145126.tif 000004
【図３】
2008145126.tif 000005
【図４】
2008145126.tif 000006
【図５】
2008145126.tif 000007
【図６】
2008145126.tif 000008
【図７】
2008145126.tif 000009
【図８】
2008145126.tif 000010
【図９】
2008145126.tif 000011
【図１０】
2008145126.tif 000012
【図１１】
2008145126.tif 000013
【図１２】
2008145126.tif 000014
【図１３】
2008145126.tif 000015
【図１４】
2008145126.tif 000016